(57)【要約】      （修正有）【課題】同一の電池パックを異なる種類の電子機器に装着可能とする電池パック、電子機器、電池供給システム及びカメラを提供する。【解決手段】電池パック１０は、電池保持部１２と電池保持部に保持された電池１１より供給される電力を出力する出力端子部１６，１７とを備える電池パックであって、出力端子部１６，１７と接続する入力端子部を備える同形状の電池パック装着部が設けられた互いに異なる種類の電子機器に対して、共通して装着可能なことを特徴とする。【選択図】図３
2009129592.tif 000002
【特許請求の範囲】
【請求項１】
電池保持部と該電池保持部に保持された電池より供給される電力を出力する出力端子部とを備える電池パックであって、
該出力端子部と接続する入力端子部を備える同形状の電池パック装着部が設けられた互いに異なる種類の電子機器に対して、共通して装着可能なことを特徴とする電池パック。
【請求項２】
請求項１に記載の電池パックであって、
前記電子機器に装着されたときに前記電池パックの一部が、前記電子機器の外観の一部を成すことを特徴とする電池パック。
【請求項３】
請求項１又は２に記載の電池パックであって、
前記電子機器に装着されたときに前記電池パックの一部が、前記電子機器の外面と同一面上に配置されることを特徴とする電池パック。
【請求項４】
入力端子部を備える電池パック装着部が設けられ、電池保持部と該電池保持部に保持された電池より供給される電力を出力する出力端子部とを備えるとともに互いに異なる種類の電子機器に対して共通して使用可能な電池パックを、該電池パック装着部に対して装着可能なことを特徴とする電子機器。
【請求項５】
電池保持部及び該電池保持部に保持された電池より供給される電力を出力する出力端子部を備える電池パックと、
前記電池パックの前記出力端子部と接続する入力端子部を備える同形状の電池パック装着部が設けられた互いに異なる種類の複数の電子機器と、を備え、
前記電池パックが、前記異なる種類の電子機器に対して共通して装着可能なことを特徴とする電池供給システム。
【請求項６】
入力端子部を備える電池パック装着部が設けられ、電池保持部と該電池保持部に保持された電池より供給される電力を出力する出力端子部とを備えるとともに互いに異なる種類のカメラに対して共通して使用可能な電池パックを、該電池パック装着部に対して装着可能なことを特徴とするカメラ。
【請求項７】
請求項６に記載のカメラであって、
前記カメラがレンズ一体型カメラであって、前記電池パック装着部がレンズ鏡筒の側部において前記カメラの底面から前記電池パックを挿入するように設けられていることを特徴とするカメラ。
【発明の詳細な説明】
【技術分野】
【０００１】
本発明は、電池パック、電子機器、電池供給システム及びカメラに関するものである。
【背景技術】
【０００２】
従来、異なる種類の電池を選択的に収納可能な電池パック装着部を備える電子機器が提案されている（例えば、特許文献１参照）。
【特許文献１】特開２００４−２８８６２６号公報
【発明の開示】
【発明が解決しようとする課題】
【０００３】
しかし、上記従来技術では、異なる種類の電池は収納可能であるが、電子機器の種類が異なる場合は、電子機器ごとに異なる種類の電池パックが必要があった。
【０００４】
本発明の課題は、同一の電池パックを異なる種類の電子機器に装着可能とすることである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、電池保持部（１２）と該電池保持部（１２）に保持された電池（１１）より供給される電力を出力する出力端子部（１６，１７）とを備える電池パック（１０）であって、該出力端子部（１６，１７）と接続する入力端子部（６，７）を備える同形状の電池パック装着部（５，５’，５’’）が設けられた互いに異なる種類の電子機器（１，２０，３０）に対して、共通して装着可能なことを特徴とする電池パック（１０）である。
請求項２に記載の発明は、請求項１に記載の電池パック（１０）であって、前記電子機器（１，２０，３０）に装着されたときに前記電池パック（１０）の一部が、前記電子機器（１，２０，３０）の外観の一部を成すことを特徴とする電池パック（１０）である。
請求項３に記載の発明は、請求項１又は２に記載の電池パック（１０）であって、前記電子機器（１，２０，３０）に装着されたときに前記電池パック（１０）の一部が、前記電子機器（１，２０，３０）の外面（１ａ，２０ａ，３０ａ）と同一面上に配置されることを特徴とする電池パック（１０）である。
請求項４に記載の発明は、入力端子部（６，７）を備える電池パック装着部（５，５’，５’’）が設けられ、電池保持部（１２）と該電池保持部（１２）に保持された電池（１１）より供給される電力を出力する出力端子部（１６，１７）とを備えるとともに互いに異なる種類の電子機器（１，２０，３０）に対して共通して使用可能な電池パック（１０）を、該電池パック装着部（５，５’，５’’）に対して装着可能なことを特徴とする電子機器（１，２０，３０）である。
請求項５に記載の発明は、電池保持部（１２）及び該電池保持部（１２）に保持された電池（１１）より供給される電力を出力する出力端子部（１６，１７）を備える電池パック（１０）と、前記電池パック（１０）の前記出力端子部（１６，１７）と接続する入力端子部（６，７）を備える同形状の電池パック装着部（５，５’，５’’）が設けられた互いに異なる種類の複数の電子機器（１，２０，３０）と、を備え、前記電池パック（１０）が、前記異なる種類の電子機器（１，２０，３０）に対して共通して装着可能なことを特徴とする電池供給システムである。
請求項６に記載の発明は、入力端子部（６，７）を備える電池パック装着部（５，５’，５’’）が設けられ、電池保持部（１２）と該電池保持部（１２）に保持された電池（１１）より供給される電力を出力する出力端子部（１６，１７）とを備えるとともに互いに異なる種類のカメラに対して共通して使用可能な電池パック（１０）を、該電池パック装着部（５，５’，５’’）に対して装着可能なことを特徴とするカメラ（１，２０，３０）である。
請求項７に記載の発明は、請求項６に記載のカメラ（１，２０，３０）であって、前記カメラ（１，２０，３０）がレンズ一体型カメラであって、前記電池パック装着部（５，５’，５’’）がレンズ鏡筒の側部において前記カメラ（１，２０，３０）の底面（１ａ，２０ａ，３０ａ）から前記電池パック（１０）を挿入するように設けられていることを特徴とするカメラ（１，２０，３０）である。
なお、符号を付して説明した構成は、適宜改良してもよく、また、少なくとも一部を他の構成物に代替してもよい。
【発明の効果】
【０００７】
本発明によれば、同一の電池パックを異なる種類の電子機器に装着することができる。
【発明を実施するための最良の形態】
【０００８】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、通常の撮影位置という）において撮影者から見て左側に向かう方向をＸプラス方向とする。また、通常の撮影位置において上側に向かう方向をＹプラス方向とする。さらに、通常の撮影位置において被写体に向かう方向をＺプラス方向とする。
【０００９】
図１は本実施形態にかかる第１カメラ１の概略斜視図である。本実施形態において第１カメラ１は、レンズ非交換式のデジタルカメラであり、外側を囲む筐体２と、非撮影時にその一部が筐体２内に収納されるとともに撮影時には繰り出す沈胴式のレンズ鏡筒３とを備える。また、第１カメラ１は、その内部に電池パック装着部５を備え、電池パック装着部５が設けられた部分のＹプラス側には、後述する電池パック１０から電力が供給されるプラス側入力端子部６ａ及びマイナス側入力端子部６ｂが設けられている。
【００１０】
図２は、電池パック１０が挿入された状態における第１カメラ１の底面図である。図示するように第１カメラ１の底面１ａには、電池パック１０の挿入口１ｂが設けられている。
【００１１】
図３は第１カメラ１より取り外した状態の電池パック１０を示した図である。図示するように電池パック１０は、電池１１を装着するホルダ部１２を備える。また、電池パック１０の底面１０ａには、スライド可能なロック部材１３が設けられている。
【００１２】
ホルダ部１２は、２列の電池保持部１２ａ，１２ｂが設けられており、各々の電池保持部１２ａ，１２ｂにおける電池１１のマイナス側が配置される端部にはバネ１４が取り付けられ、また電池のプラス側が配置される端部には、接片１５が取り付けられ、電池に製造上若干の寸法の相違が存在しても、電気的接続が確保されるようになっている。
【００１３】
ホルダ部１２は、図３におけるＹプラス側面（上面）１０ｂに、プラス側出力端子部１６とマイナス側出力端子部１７とを備える。プラス側出力端子部１６は電池１１のプラス側が接続されるＹプラス側接片１５と電気的に接続されている。マイナス側出力端子部１７は電池１１のマイナス側が接続されるＹプラス側バネ１４と電気的に接続されている。また、Ｙマイナス側バネ１４とＹマイナス側接片１５とは互いに電気的に接続されている。ホルダ部１２に、単三電池を２つ並べて装着すると、プラス側出力端子部１６とマイナス側出力端子部１７との間には約３Ｖの電圧が加わる。
【００１４】
電池パック１０の底面１０ａに設けられたロック部材１３は、図２に示すように電池パック１０の底面１０ａを図２において点線で示すようにＺ方向に延びている。一方、第１カメラ１の底面１ａには、ロック部材１３がスライドする部分に差し込み部１ｃが設けられている。図２はロック部材１３が差し込み部１ｃに差し込まれて電池パック１０が第１カメラ１に対して固定されている状態を示す。そして、図中矢印に方向にロック部材１３をスライドさせると、ロック部材１３が差し込み部１ｃから外れて、電池パック１０が第１カメラ１からロック解除された状態となる。
【００１５】
また、電池パック１０の底面１０ａは平坦であって、図２に示すように、電池パック１０を第１カメラ１に挿入すると、電池パック１０の底面１０ａは、第１カメラ１の底面１ａと同一面上に配置され、第１カメラ１の外観の一部を形成する。
【００１６】
図４（ａ）及び（ｂ）は、図１及び図２に示した第１カメラ１と異なる種類の第２カメラ２０及び第３カメラ３０である。第２カメラ２０及び第３カメラ３０は、第１カメラ１と外形が異なるが、同一形状の電池パック装着部５’，５’’が設けられている。したがって、第１カメラ１と同一の電池パック１０を電池パック装着部５’，５’’に装着することができる。
【００１７】
以上、本実施形態によると、以下の効果を有する。
（１）異なる種類のカメラ１，２０，３０であっても、共通の電池パック装着部５，５’，５’’が設けられているため、共通の電池パック１０を使用することができる。したがって、一度電池パックを設計したら、異なるカメラであっても同じ電池パックが使用可能であり、設計コスト及び製造コストも低減される。一方、図５は比較形態のカメラ４０の底面図であり、開閉蓋４３が開いた状態を示す。カメラ４０には、電池１１が直接挿入される電池室４２が設けられている。開閉蓋４３は電池室４２の端部にヒンジ４４により取り付けられている。このようなカメラ４０は、カメラごとにそれぞれそのカメラの形状に合わせて電池室４２を設計する必要が生じ、本実施形態のカメラと比べると製造コストがかかる。
（２）本実施形態において電池パック装着部５，５’，５’’には蓋を設けず、電池パック１０の底面１０ａが、カメラ１，２０，３０の底面と同一面上に配置され、カメラ１，２０，３０の外観の一部を形成する構成とした。したがって、構造上破損しやすいヒンジ機構が不要であり、強度が向上する。
【００１８】
（変形形態）
以上、説明した実施形態に限定されることなく、以下に示すような種々の変形や変更が可能であり、それらも本発明の範囲内である。
（１）本実施形態では、レンズ非交換式の複数のカメラにおいて共通の電池パックについて説明した。しかし、本発明はレンズ非交換式の複数のカメラに限定されず、レンズ交換式のカメラであってもよく、また、その他、携帯電話、携帯型オーディオプレーヤー、髭剃り等他の電子機器であってもよい。さらに、例えばカメラと携帯電話といった異なる種類の電子機器間で電池パックを共通にしてもよい。
（２）また、本実施形態で電池は、単三電池を使用したが、本発明はこれに限定されず、リチウム電池、カード型電池等種々の電池が利用可能である。
なお、実施形態及び変形形態は、適宜組み合わせて用いることもできるが、詳細な説明は省略する。また、本発明は以上説明した実施形態によって限定されることはない。
【図面の簡単な説明】
【００１９】
【図１】本実施形態にかかる第１カメラの概略斜視図である。
【図２】電池パックが挿入された状態における第１カメラの底面図である。
【図３】第１カメラより取り外した状態の電池パックを示した図である。
【図４】図１及び図２に示した第１カメラと異なるカメラの底面図であり、（ａ）は第２カメラ、（ｂ）は第３カメラである。
【図５】比較形態のカメラの底面図である。
【符号の説明】
【００２０】
１：第１カメラ、１ａ：底面、５，５’，５’’：電池パック装着部、１０：電池パック、１１：電池、１２：電池ホルダ、１６，１７：出力端子部、２０：第２カメラ、２０ａ：底面、３０：第３カメラ、３０ａ：底面
【図１】
2009129592.tif 000003
【図２】
2009129592.tif 000004
【図３】
2009129592.tif 000005
【図４】
2009129592.tif 000006
【図５】
2009129592.tif 000007